(57)【要約】【課題】再接続の手間と労力を省略する。【解決手段】スイッチ４７ａ，４７ｂは、子器回路ブロック４４との接続のオン状態又はオフ状態を切り替えるものである。また、ワイヤレス設定器によりマイコン４６ａ，４６ｂの動作モードが切り替えられる。子器回路ブロック４４が検知信号を受信すると、熱線センサ付自動スイッチ４ａの場合、マイクロコンピュータ４６ａが第１のモードであり、スイッチ４７ａがオフ状態であるので、マイクロコンピュータ４６ａがフル２線回路ブロック４５を制御して伝送ユニットに割込信号を送出させる。続いて、伝送ユニットからの伝送信号に検知情報を付加して伝送ユニットに返送させる。一方、熱線センサ付自動スイッチ４ｂの場合、マイクロコンピュータ４６ｂが第２の動作モードであり、スイッチ４７ｂがオン状態であるので、マイクロコンピュータ４６ｂが子器回路ブロック４４を制御して検知信号を送出させる。【選択図】図１
2006279345.tif 000002
【特許請求の範囲】
【請求項１】
予め決められた検知エリア内の人体から放射される熱線を検知し検知信号として出力する検知手段と、
前記検知手段と同様の機能を有し検知信号を送出可能とする第１の接続機器と接続するとともに、前記検知信号を受信可能とする機器又は伝送ユニットからなる第２の接続機器と接続する接続手段と、
前記検知手段及び前記第１の接続機器から前記検知信号を受信する検知信号受信手段と、
前記第２の接続機器が伝送ユニットである場合に、多重伝送方式により前記伝送ユニットとの間で伝送信号を授受する多重伝送手段と、
前記第２の接続機器が前記伝送ユニットである場合に、前記多重伝送手段により前記伝送ユニットから送出される伝送信号に、前記検知信号に基づく検知情報を付加して返送する第１の動作モードを有するとともに、前記第２の接続機器が前記検知信号を受信可能とする機器である場合に、前記検知信号受信手段により、前記検知信号を受信可能とする機器に前記検知信号を送出する第２の動作モードを有する制御手段と、
前記制御手段による前記第１の動作モードと前記第２の動作モードとを切り替える切替手段と
を備えることを特徴とする熱線センサ付自動スイッチ。
【請求項２】
前記多重伝送方式により前記伝送ユニットとの間で伝送信号を授受しているか否かを報知する報知手段を備えることを特徴とする請求項１記載の熱線センサ付自動スイッチ。
【請求項３】
請求項１又は２記載の熱線センサ付自動スイッチと、
伝送ユニットと、
前記伝送ユニットにより制御される負荷と
を備えることを特徴とする制御システム。
【発明の詳細な説明】
【技術分野】
【０００１】
本発明は、例えば、遠隔監視制御に用いられる熱線センサ付自動スイッチ及びこれを含む制御システムに関するものである。
【背景技術】
【０００２】
従来、この種の制御システムは、予め決められた検知エリア内の人体から放射される熱線を検知し検知信号として出力する熱線センサを備えている熱線センサ付自動スイッチと、熱線センサ付自動スイッチと信号線を介して接続する伝送ユニットと、伝送ユニットと信号線を介して接続する制御用端末器と、制御用端末器と接続する照明負荷とを備える。上記従来の熱線センサ付自動スイッチには、熱線センサからの検知信号に基づいて監視データを発生する熱線センサ親器と、上記検知信号を熱線センサ親器などに出力する熱線センサ子器とがある。上記熱線センサ親器と熱線センサ子器は外観が同一であり、これにより制御システム全体として統一感を得ている。
【０００３】
上記従来の制御システムは、伝送ユニットから熱線センサ付自動スイッチ及び照明負荷を特定するためのアドレスデータを含む伝送信号を信号線に時分割多重伝送方式で送出することによって熱線センサ親器及び制御用端末器を個別にアクセスし、熱線センサ親器からの監視データを受信し制御用端末器を介して照明負荷の動作制御を行う遠隔監視制御システムである。このような制御システムでは、熱線センサ親器又は熱線センサ子器の熱線センサが人体から放射される熱線を検知すると熱線センサ親器が監視データを発生し、上記監視データに応じて照明負荷を点灯させ、熱線を検知しなくなってから予め決められた動作保持時間が経過すると、照明負荷を消灯させる。
【０００４】
上記従来の熱線センサ付自動スイッチの一例として、特許文献１には、結線のために端子カバーをスライドさせて第１端子部及び第２端子部のうちいずれか一方が開放されることにより、誤結線を防止する熱線センサ付自動スイッチが開示されている。
【特許文献１】特開２００４−２３４９１９号公報（第４頁−第１０頁及び第１図）
【発明の開示】
【発明が解決しようとする課題】
【０００５】
しかしながら、上記従来の制御システムは、熱線センサ付自動スイッチを施工した後に、熱線センサ付自動スイッチのアドレス設定を正常に行うことができないという問題が発生することが多かった。上記問題の原因の一つは、図８に示すように、本来、熱線センサ子器８ｂを接続しなければならない位置に熱線センサ親器８ａを接続していることであった。つまり、熱線センサ付親器８ａが連続して接続されていることになる。上記より、熱線センサ親器８ａと熱線センサ付子器８ｂとを間違って接続したとしても、熱線センサ親器８ａと熱線センサ子器８ｂの外観が同一であるので、施工した後において容易に見分けることができず、再接続を行ったりするために多くの時間と労力を要するという問題があった。特に、図９に示すように、熱線センサ付親器８ａと同様の機能を有している制御ユニット８ｃを備えている制御システムでは、制御ユニット８ｃが外部から見えにくい位置に設置されていることが多いので、上記制御ユニット８ｃの存在に気付かないで熱線センサ付親器８ａを接続してしまうことが多かった。なお、図８，９のＡ１及びＡ２は、図２のＡ１及びＡ２で伝送ユニット１と接続している。
【０００６】
本発明は上記の点に鑑みて為されたものであり、その目的とするところは、再接続の手間と労力を省略することができる熱線センサ付自動スイッチ及びこれを含む制御システムを提供することにある。
【課題を解決するための手段】
【０００７】
請求項１に記載の発明は、予め決められた検知エリア内の人体から放射される熱線を検知し検知信号として出力する検知手段と、前記検知手段と同様の機能を有し検知信号を送出可能とする第１の接続機器と接続するとともに、前記検知信号を受信可能とする機器又は伝送ユニットからなる第２の接続機器と接続する接続手段と、前記検知手段及び前記第１の接続機器から前記検知信号を受信する検知信号受信手段と、前記第２の接続機器が伝送ユニットである場合に、多重伝送方式により前記伝送ユニットとの間で伝送信号を授受する多重伝送手段と、前記第２の接続機器が前記伝送ユニットである場合に、前記多重伝送手段により前記伝送ユニットから送出される伝送信号に、前記検知信号に基づく検知情報を付加して返送する第１の動作モードを有するとともに、前記第２の接続機器が前記検知信号を受信可能とする機器である場合に、前記検知信号受信手段により、前記検知信号を受信可能とする機器に前記検知信号を送出する第２の動作モードを有する制御手段と、前記制御手段による前記第１の動作モードと前記第２の動作モードとを切り替える切替手段とを備えることを特徴とする。
【０００８】
この構成では、接続を誤った場合であっても、再接続を行う必要がなく、動作モードを切り替えることにより正常に動作させることができるので、再接続の手間と労力を省略することができる。
【０００９】
請求項２に記載の発明は、請求項１に記載の発明において、前記多重伝送方式により前記伝送ユニットとの間で伝送信号を授受しているか否かを報知する報知手段を備えることを特徴とする。この構成では、伝送ユニットとの交信状態を容易に確認することができるので、正常に接続されていない場合に早急に対応することができる。
【００１０】
請求項３に記載の発明は、請求項１又は２に記載の熱線センサ付自動スイッチと、伝送ユニットと、前記伝送ユニットにより制御される負荷とを備えることを特徴とする。この構成では、接続を誤った場合であっても、再接続を行う必要がなく、動作モードを切り替えることにより正常に動作させることができるので、再接続の手間と労力を省略することができる。
【発明の効果】
【００１１】
本発明によれば、再接続の手間と労力を省略することができる。
【発明を実施するための最良の形態】
【００１２】
（実施形態１）
本発明の実施形態１について図１〜４を用いて説明する。図１（ａ）は、実施形態１の制御システムにおいて、第１の動作モードである場合の熱線センサ付自動スイッチのブロック図、図１（ｂ）は、第２の動作モードである場合の熱線センサ付自動スイッチのブロック図である。図２は、実施形態１の制御システムの概略構成図である。図３（ａ）は、熱線センサ付自動スイッチの下面図、図３（ｂ）は、図３（ａ）の要部拡大図、図３（ｃ）は、ワイヤレス設定器の正面図である。図４は、熱線センサ付自動スイッチの動作を説明するフローチャートである。
【００１３】
先ず、実施形態１の基本的な構成について説明する。実施形態１の制御システムは、遠隔監視制御に用いられるものであり、図２に示すように、伝送ユニット１と、制御用端末器２と、照明負荷３と、熱線センサ付自動スイッチ４ａ，４ｂ，４ｂとを備えている。
【００１４】
伝送ユニット１は、制御用端末器２及び熱線センサ付自動スイッチ４ａと信号線Ｌｓを介して接続し、伝送信号Ｖｓを時分割多重伝送方式で信号線Ｌｓに送出することにより、制御用端末器２及び熱線センサ付自動スイッチ４ａとの間で情報を授受する。信号線Ｌｓはフル２線信号ラインである。
【００１５】
伝送信号Ｖｓは、自己の信号の送出開始を示すスタートパルスＳＴと、信号のモードを示すモードデータＭＤと、制御用端末器２及び熱線センサ付自動スイッチ４ａを個別に認識するためのアドレスデータＡＤと、照明負荷３への制御内容を示す制御データＣＤと、伝送誤りを検知するチェックサムデータのようなエラー訂正符号ＣＳと、制御用端末器２及び熱線センサ付自動スイッチ４ａから返送信号（監視データ）を返送させるために設けられたタイムスロットである信号返送期間ＷＴとから構成される双極性（±２４Ｖ）の時分割多重信号であり、パルス幅変調によってデータが伝送されるようになっている。
【００１６】
上記伝送ユニット１は、ダミー信号送信手段と、割込処理手段とを備えている。ダミー信号送信手段では、モードデータＭＤをダミーモードとしてアドレスデータＡＤをサイクリックに変えた伝送信号Ｖｓを常時送出する。また、割込処理手段では、ダミーモードの伝送信号ＶｓのスタートパルスＳＴに同期して熱線センサ付自動スイッチ４ａから割込信号Ｖｉが出力されたときに、熱線センサ付自動スイッチ４ａをアクセスして操作データとともに、アドレスデータを操作データとして返送させるようになっている。
【００１７】
上記のようにして、伝送ユニット１は、熱線センサ付自動スイッチ４ａからアドレスデータＡＤを受け取ると、アドレスによる対応関係が予め設定されている制御用端末器２への制御データＣＤを操作データに基づいて作成し、信号線Ｌｓを介して上記照明負荷３と接続している制御用端末器２に時分割多重伝送する。
【００１８】
制御用端末器２は、伝送ユニット１及び照明負荷３と接続している。上記制御用端末器２は、信号線Ｌｓを介して伝送ユニット１から受信された伝送信号ＶｓのアドレスデータＡＤに含まれるアドレスが、予め設定されているアドレスと一致するか否かの判定を行う。上記判定により一致したときに、伝送信号Ｖｓの制御データＣＤを取り込むとともに、伝送信号Ｖｓの信号返送期間ＷＴに同期して操作データを電流モード信号（信号線Ｌｓの線間を適当な低インピーダンスを介して短絡して送出される信号）として返送している。上記の後、制御用端末器２は、受信した制御データＣＤに基づいて照明負荷３を点灯させたり、消灯させたり、又は調光させたりする。なお、制御用端末器２の動作用の電源は、伝送信号Ｖｓを全波整流することによって得られている。
【００１９】
照明負荷３は、例えば放電灯などであり、制御用端末器２と接続している。上記照明負荷３は、制御用端末器２により受信された制御データＣＤに基づいて点灯したり、消灯したり、又は調光したりする。なお、照明負荷３の動作用の電源は、伝送信号Ｖｓを全波整流することによって得られている。
【００２０】
熱線センサ付自動スイッチ４ａ，４ｂは、例えば絶縁樹脂により形成されているボディ４０（図３（ａ）参照）に、図１（ａ）に示すように、端子部４１，４２と、熱線センサ４３と、子器回路ブロック４４と、フル２線回路ブロック４５とを備えている。また、熱線センサ付自動スイッチ４ａは、上記に加えて、マイクロコンピュータ（以下「マイコン」という。）４６ａと、スイッチ４７ａとを備え、熱線センサ付自動スイッチ４ｂは、図１（ｂ）に示すように、上記に加えて、マイコン４６ｂと、スイッチ４７ｂとを備えている。ボディ４０には、図３（ａ）に示すように、後述するワイヤレス設定器（アドレス設定器）５からの信号を受信する受信部４０ａを備えている。なお、熱線センサ付自動スイッチ４ａ，４ｂの動作用の電源は、伝送信号Ｖｓを全波整流することによって得られている。
【００２１】
端子部４１は、図１（ａ）に示すように、伝送ユニット１（図２参照）又は他の熱線センサ付自動スイッチ４ａ，４ｂの端子部４２と接続する。一方、端子部４２は、他の熱線センサ付自動スイッチ４ｂの端子部４１と接続する。
【００２２】
熱線センサ４３は、例えば焦電素子などであり、予め決められた検知エリア内の人体から放射される熱線を検知し検知信号として子器回路ブロック４４に出力し、検知エリア内の人の存否を検知する検知手段である。
【００２３】
子器回路ブロック４４は、端子部４２を介して他の熱線センサ付自動スイッチ４ｂ（図２参照）と接続するとともに、熱線センサ４３とも接続し、上記熱線センサ４３及び他の熱線センサ付自動スイッチ４ｂから検知信号を受信する検知信号受信手段である。上記子器回路ブロック４４は、信号線Ｌｓ（図２参照）を介して伝送ユニット１（図２参照）から入力される伝送信号Ｖｓを全波整流し、定電圧化することで、熱線センサ付自動スイッチ４ａ，４ｂの動作電源を生成する。
【００２４】
フル２線回路ブロック４５は、端子部４１と接続している。上記フル２線回路ブロック４５は、端子部４１を介して伝送ユニット１（図２参照）と電気的に接続する場合に、伝送ユニット１との間で多重伝送方式により伝送信号Ｖｓを授受する多重伝送手段である。また、フル２線回路ブロック４５は、マイコン４６ａからの検知情報を伝送信号Ｖｓに付加して伝送ユニット１に返送する。
【００２５】
マイコン４６ａ，４６ｂは、端子部４１が伝送ユニット１（図２参照）と接続している場合に、フル２線回路ブロック４５を制御し、伝送ユニット１から送出される伝送信号Ｖｓに、子器回路ブロック４４により受信された検知信号に基づく検知情報を付加して返送させる第１の動作モードを有している制御手段である。また、マイコン４６ａ，４６ｂは、端子部４１が他の熱線センサ付自動スイッチ４ａ，４ｂと接続している場合に、子器回路ブロック４４から他の熱線センサ付自動スイッチ４ａ，４ｂに検知信号を送出させる第２の動作モードも有している。なお、第２の動作モードの場合に、端子部４２と接続している熱線センサ付自動スイッチ４ｂにも検知信号を送出している。
【００２６】
スイッチ４７ａ，４７ｂは、図３（ｂ）に示すように、ボディ４０の外側から操作することができるようにスライドスイッチを備えている。上記スイッチ４７ａ，４７ｂは、図１に示すように、端子部４１と子器回路ブロック４４との間のオン状態とオフ状態とを切り替える。実施形態１において、スイッチ４７ａはオフ状態であり、スイッチ４７ｂはオン状態である。また、スイッチ４７ａ，４７ｂのオン状態とオフ状態とが切り替えられたときに、ワイヤレス設定器５（図３（ｃ）参照）によりマイコン４６ａ，４６ｂの動作モードが切り替えられる。上記スイッチ４７ａ，４７ｂ及びワイヤレス設定器５は、マイコン４６ａ，４６ｂによる第１の動作モードと第２の動作モードが正常に動作するように切り替える切替手段であり、熱線センサ付自動スイッチ４ａ，４ｂを施工した後であっても、容易に切り替えることができる。
【００２７】
次に、熱線センサ付自動スイッチ４ａ，４ｂの動作について図４を用いて説明する。先ず、子器回路ブロック４４（図１（ａ）参照）が自己の熱線センサ４３（図１（ａ）参照）又は他の熱線センサ付自動スイッチ４ｂ（図２参照）から検知信号を受信する（Ｓ１）。熱線センサ付自動スイッチ４ａ（図２参照）の場合、マイコン４６ａ（図１（ａ）参照）が第１の動作モードであり、スイッチ４７ａ（図１（ａ）参照）がオフ状態であるので（Ｓ２）、マイコン４６ａがフル２線回路ブロック４５（図１（ａ）参照）を制御して伝送ユニット１（図２参照）に割込信号Ｖｉを送出させる（Ｓ３）。続いて、伝送ユニット１からの伝送信号Ｖｓに検知情報を付加して伝送ユニット１に返送させる（Ｓ４）。一方、熱線センサ付自動スイッチ４ｂの場合、マイコン４６ｂ（図１（ｂ）参照）が第２の動作モードであり、スイッチ４７ｂ（図１（ｂ）参照）がオン状態であるので（Ｓ２）、マイコン４６ｂが子器回路ブロック４４（図１（ｂ）参照）を制御して検知信号を送出させる（Ｓ５）。
【００２８】
続いて、実施形態１の制御システムの動作について図２を用いて説明する。伝送ユニット１は、通常時にはモードデータＭＤをダミーモードとした伝送信号Ｖｓを一定時間間隔で送出している（常時ポーリング）。熱線センサ付自動スイッチ４ａ，４ｂ，４ｂの熱線センサ４３（図１参照）が人体から放射される熱線を検知して検知信号を出力すると、熱線センサ付自動スイッチ４ａは、ダミーモードの伝送信号ＶｓのスタートパルスＳＴに同期させて、割込信号Ｖｉを発生させる。このとき、熱線センサ付自動スイッチ４ａは割込フラグを設定して伝送ユニット１との以後の情報授受に備える。
【００２９】
伝送ユニット１は割込信号Ｖｉを受信すると、モードデータＭＤを割込ポーリングモードにするとともに、アドレスデータＡＤの上位の半数のビット（アドレスデータＡＤを８ビットとすれば上位４ビット）を順次増加させながら伝送信号Ｖｓを送出する。割込信号Ｖｉを発生させた熱線センサ付自動スイッチ４ａは、割込ポーリングモードの伝送信号ＶｓにおけるアドレスデータＡＤの上位４ビットが自己のアドレスの上位４ビットに一致するとき、信号返送期間ＷＴ中に自己のアドレスの下位の半数のビット（下位４ビット）を監視データとして伝送ユニット１へ返送する。上記のようにすると、伝送ユニット１が複数の熱線センサ付自動スイッチ４ａと接続している場合であっても、伝送ユニット１は割込信号Ｖｉを発生した熱線センサ付自動スイッチ４ａを１６個ずつまとめて探すので、比較的短い時間で熱線センサ付自動スイッチ４ａを発見することができる。
【００３０】
伝送ユニット１が割込信号Ｖｉを発生させた熱線センサ付自動スイッチ４ａのアドレスを獲得すると、モードデータＭＤを監視モードとし、獲得したアドレスデータＡＤを含む伝送信号Ｖｓを信号線Ｌｓに送出する。上記伝送信号Ｖｓに対して熱線センサ付自動スイッチ４ａは、伝送しようとする情報を信号返送期間ＷＴに付加して返送する。
【００３１】
最後に、伝送ユニット１は割込信号Ｖｉを発生した熱線センサ付自動スイッチ４ａに対して割込フラグのリセットを指示する信号を送出し、熱線センサ付自動スイッチ４ａの割込フラグを解除する。
【００３２】
上記のようにして、熱線センサ付自動スイッチ４ａから伝送ユニット１への情報伝送は、伝送ユニット１から熱線センサ付自動スイッチ４ａへの４回の信号伝送（ダミーモード、割込ポーリングモード、監視モード、割込リセット）によって完了する。
【００３３】
その後、伝送ユニット１は、熱線センサ付自動スイッチ４ａから受け取った監視データに基づいて制御データＣＤを作成し、上記制御データＣＤを対応する制御用端末器２に伝送する。制御データＣＤを受信した制御用端末器２は、照明負荷３に対して予め決められた動作を行うように制御する。
【００３４】
以上、実施形態１によれば、熱線センサ付自動スイッチ４ａ，４ｂの接続を誤った場合であっても、再接続を行う必要がなく、熱線センサ付自動スイッチ４ａ，４ｂの動作モードを切り替えることにより正常に動作させることができるので、再接続の手間と労力を省略することができる。
【００３５】
なお、実施形態１の変形例として、図２に示している熱線センサ付自動スイッチ４ａに代わって従来の熱線センサ親器としてもよい。また、熱線センサ付自動スイッチ４ｂに代わって従来の熱線センサ子器としてもよい。このような構成にしても、実施形態１と同様の効果を得ることができる。
【００３６】
（実施形態２）
本発明の実施形態２について図５を用いて説明する。図５は、実施形態２の制御システムにおける熱線センサ付自動スイッチの要部拡大図である。
【００３７】
実施形態２の制御システムにおいて、熱線センサ付自動スイッチ６は、実施形態１の熱線センサ付自動スイッチ４ａ，４ｂ（図１参照）と同様に、ボディ６０に、端子部４１，４２と、熱線センサ４３と、子器回路ブロック４４と、フル２線回路ブロック４５と、マイコン４６ａ，４６ｂと、スイッチ４７ａ，４７ｂとを備えているが、実施形態１の熱線センサ付自動スイッチ４ａ，４ｂにはない以下に記載の特徴部分がある。
【００３８】
熱線センサ付自動スイッチ６は、図５に示すように、ボディ６０に表示ランプ（フル２線信号受信表示ランプ）６１を備えている。表示ランプ６１は、例えば発光ダイオード（ＬＥＤ）等であり、多重伝送方式により伝送ユニット１（図２参照）との間で伝送信号を授受しているか否かを報知する報知手段である。例えば、多重伝送方式により伝送ユニット１との間で伝送信号を授受している場合、表示ランプ６１は点灯し、多重伝送方式により伝送ユニット１との間で伝送信号を授受していない場合、表示ランプ６１は消灯する。
【００３９】
以上、実施形態２によれば、実施形態１と同様の効果を得ることができるとともに、伝送ユニット１（図２参照）と熱線センサ付自動スイッチ６との交信状態を容易に確認することができるので、正常に接続されていない場合に早急に対応することができる。
【００４０】
（実施形態３）
本発明の実施形態３について図６を用いて説明する。図６は、実施形態３の制御システムの概略構成図である。
【００４１】
実施形態３の制御システムは、実施形態１の制御システム（図２参照）と同様に、伝送ユニット１と、制御用端末器２と、照明負荷３と、熱線センサ付自動スイッチ４ｂ，４ｂ，４ｂとを備えているが、実施形態１の制御システムにはない以下に記載の特徴部分がある。
【００４２】
実施形態３の制御システムは、図６に示すように、伝送ユニット１（図２参照）と熱線センサ付自動スイッチ４ｂとの間に制御ユニット７を備えている。制御ユニット７は、制御盤７０に設けられ、実施形態１の熱線センサ付自動スイッチ４ａと同様の機能を有している。なお、図６のＡ１及びＡ２は、図２のＡ１及びＡ２で伝送ユニット１と接続している。
【００４３】
以上、実施形態３であっても、実施形態１と同様の効果を得ることができる。
【００４４】
（実施形態４）
本発明の実施形態４について図７を用いて説明する。図７（ａ）は、実施形態４の制御システムにおいて、第１の動作モードである場合の熱線センサ付自動スイッチのブロック図、図７（ｂ）は、第２の動作モードである場合の熱線センサ付自動スイッチのブロック図である。
【００４５】
実施形態４の制御システムにおいて、熱線センサ付自動スイッチ４ｃは、実施形態１の熱線センサ付自動スイッチ４ａ（図１（ａ）参照）と同様に、ボディ４０（図３（ａ）参照）に、端子部４１，４２と、熱線センサ４３と、子器回路ブロック４４と、フル２線回路ブロック４５と、マイコン４６ａとを備え、熱線センサ付自動スイッチ４ｄは、実施形態１の熱線センサ付自動スイッチ４ｂ（図１（ｂ）参照）と同様に、ボディ４０（図３（ａ）参照）に、端子部４１，４２と、熱線センサ４３と、子器回路ブロック４４と、フル２線回路ブロック４５と、マイコン４６ｂとを備えているが、実施形態１の熱線センサ付自動スイッチ４ａ，４ｂにはない以下に記載の特徴部分がある。
【００４６】
実施形態４の熱線センサ付自動スイッチ４ｃ，４ｄは、図７に示すように、子器回路ブロック４４と接続するか、フル２線回路ブロック４５と接続するかを切り替えるスイッチ４７ｃ，４７ｄを備えている。実施形態４において、スイッチ４７ｃは、図７（ａ）に示すように、フル２線回路ブロック４５と接続し、スイッチ４７ｄは、図７（ｂ）に示すように、子器回路ブロック４４と接続している。
【００４７】
以上、実施形態４によれば、実施形態１と同様の効果を得ることができるとともに、フル２線回路ブロック４５が不要な検知信号を受信することを防止することができる。
【００４８】
（実施形態５）
実施形態５の制御システムにおいて、熱線センサ付自動スイッチは、実施形態１の熱線センサ付自動スイッチ４ａ，４ｂ（図１参照）と同様に、ボディ４０（図３（ａ）参照）に、端子部４１，４２と、熱線センサ４３と、子器回路ブロック４４と、フル２線回路ブロック４５と、マイコン４６ａ，４６ｂとを備えているが、実施形態１の熱線センサ付自動スイッチ４ａ，４ｂにはない以下に記載の特徴部分がある。
【００４９】
実施形態５の熱線センサ付自動スイッチのスイッチ（図１の４７ａ，４７ｂ参照）は、オン状態とオフ状態とを切り替えるとともに、マイコン（図１の４６ａ，４６ｂ参照）の動作モードも切り替える。すなわち、実施形態１のワイヤレス設定器５（図３（ｃ）参照）による動作モードの切替機能と同一の機能を有している。具体的には、スイッチをオフ状態にしたときに、マイコンが第１の動作モードに自動的に切り替わり、スイッチをオン状態にしたときに、マイコンが第２の動作モードに自動的に切り替わる。
【００５０】
以上、実施形態５によれば、実施形態１と同様の効果を得ることができるとともに、ワイヤレス設定器５（図３（ｃ）参照）を用いないで、スイッチ（図１の４７ａ，４７ｂ参照）のみでマイコン（図１の４６ａ，４６ｂ参照）の動作モードを切り替えることができる。
【図面の簡単な説明】
【００５１】
【図１】本発明による実施形態１の制御システムにおける熱線センサ付自動スイッチであって、（ａ）は第１の動作モードである場合のブロック図、（ｂ）は第２の動作モードである場合のブロック図である。
【図２】同上の制御システムの概略構成図である。
【図３】同上の制御システムであって、（ａ）は熱線センサ付自動スイッチの下面図、（ｂ）は（ａ）の要部拡大図、（ｃ）はワイヤレス設定器の正面図である。
【図４】同上の熱線センサ付自動スイッチの動作を説明するフローチャートである。
【図５】本発明による実施形態２の制御システムにおける熱線センサ付自動スイッチの要部拡大図である。
【図６】本発明による実施形態３の制御システムの概略構成図である。
【図７】本発明による実施形態４の制御システムにおける熱線センサ付自動スイッチであって、（ａ）は第１の動作モードである場合のブロック図、（ｂ）は第２の動作モードである場合のブロック図である。
【図８】従来の制御システムの問題点を説明するための概略構成図である。
【図９】従来の他の制御システムの問題点を説明するための概略構成図である。
【符号の説明】
【００５２】
４ａ，４ｂ  熱線センサ付自動スイッチ
４３  熱線センサ
４４  子器回路ブロック
４５  フル２線回路ブロック
４６ａ，４６ｂ  マイクロコンピュータ
４７ａ，４７ｂ  スイッチ
【図１】
2006279345.tif 000003
【図２】
2006279345.tif 000004
【図３】
2006279345.tif 000005
【図４】
2006279345.tif 000006
【図５】
2006279345.tif 000007
【図６】
2006279345.tif 000008
【図７】
2006279345.tif 000009
【図８】
2006279345.tif 000010
【図９】
2006279345.tif 000011